(57)【要約】【課題】パチスロ機、パチンコ機等の遊技機に設けられて、遊技状態に応じて照明状態を変化させて、従来よりもより遊技の興趣を高める遊技機の電飾装置を提供する。【解決手段】電飾装置１は、光を発光する光源１０と、光源１０よりも前方側に位置し、光源１０からの光を反射させ、光の進行方向（光軸）を変化させる反射部１２と、光源１０よりも前方側に位置し、かつ、少なくとも一部が反射部１２よりも後方の光源１０側に位置し、反射部１２にて反射された光を前方側に反射するリフレクタ１５と、リフレクタ１５よりも前方側に位置して本体ケース２の前面に取り付けられ、反射部１２及びリフレクタ１５の少なくともいずれかによって反射された光を拡散すると共に透過させる拡散レンズ３とを備える。電飾装置１は、光源１０から発光された光を拡散レンズ３にて拡散して線状に発光表示する。【選択図】図２
2008086589.tif 000002
【特許請求の範囲】
【請求項１】
光を発光する光源と、
該光源よりも前方側に位置し、前記光源からの前記光を反射させ、前記光の進行方向を変化させる反射部と、
前記光源よりも前方側に位置し、かつ、少なくとも一部が前記反射部よりも後方の前記光源側に位置し、前記反射部にて反射された前記光を前方側に反射するリフレクタと、
該リフレクタよりも前方側に位置し、前記反射部及び前記リフレクタの少なくともいずれかによって反射された前記光を拡散すると共に透過させる拡散レンズと、を備え、
前記リフレクタ及び前記拡散レンズの少なくともいずれか一方の面に、凹凸部が形成され、前記拡散レンズにて前記光が拡散されて線状に発光表示される遊技機の電飾装置。
【請求項２】
前記リフレクタは、凹状に形成されて、その中央底部に開口部が形成され、前記光源は、前記リフレクタの前記中央底部の後方に備えられ、前記光源から発光した前記光が前記開口部を通過して前記反射部に到達する請求項１に記載の遊技機の電飾装置。
【請求項３】
光を発光する光源と、
前記光源からの前記光を反射させ、前記光の進行方向を変化させる反射部と、
少なくとも一部が前記反射部よりも後方に位置し、前記反射部にて反射された前記光を前方側に反射するリフレクタと、
該リフレクタよりも前方側に位置し、前記反射部及び前記リフレクタの少なくともいずれかによって反射された前記光を拡散すると共に透過させる拡散レンズと、を備え、
前記光源は、前記光の発光方向が前記反射部に向けられて前記リフレクタよりも前方側に備えられ、
前記リフレクタ及び前記拡散レンズの少なくともいずれか一方の面に、凹凸部が形成され、前記拡散レンズにて前記光が拡散されて線状に発光表示される遊技機の電飾装置。
【請求項４】
前記光源は、前記拡散レンズよりも前方側に備えられた請求項３に記載の遊技機の電飾装置。
【請求項５】
前記光源は、前記リフレクタよりも前方側で、前記拡散レンズよりも後方側に備えられた請求項３に記載の遊技機の電飾装置。
【請求項６】
前記リフレクタは、凹状に形成されて、その中央底部に開口部が形成された請求項３ないし５のいずれか１項に記載の遊技機の電飾装置。
【請求項７】
前記リフレクタの前記開口部に、当該電飾装置の前後方向に延びる光透過性を有する柱状部材が備えられた請求項２または６に記載の遊技機の電飾装置。
【請求項８】
前記柱状部材の前方側端面に前記反射部としての反射面が形成されている請求項７に記載の遊技機の電飾装置。
【請求項９】
前記拡散レンズの中央部に開口部が形成され、前記反射面の少なくとも一部が前記開口部内に位置するように備えられている請求項８に記載の遊技機の電飾装置。
【請求項１０】
前記柱状部材が複数備えられている請求項７ないし９のいずれか１項に記載の遊技機の電飾装置。
【請求項１１】
前記光源が前記柱状部材と同数備えられ、それぞれの前記光源から発光された前記光が異なる前記柱状部材の前記反射部によって進行方向を変化させられる請求項１０に記載の遊技機の電飾装置。
【請求項１２】
複数の前記柱状部材の高さが、２種類以上の異なる高さとして形成されている請求項１０または１１に記載の遊技機の電飾装置。
【請求項１３】
当該電飾装置の前後方向を軸として回転する回転部を備え、前記反射部が前記回転部の回転と共に回転する請求項１ないし１２のいずれか１項に記載の遊技機の電飾装置。
【請求項１４】
前記光は、前記拡散レンズにて中心部から周縁部へ延びるように線状に発光表示される請求項１ないし１３のいずれか１項に記載の遊技機の電飾装置。
【請求項１５】
前記リフレクタの反射面、及び拡散レンズの前記反射部側である後方面の少なくとも一方に前記凹凸部が形成され、前記凹凸部は、前記リフレクタの中心部、または前記拡散レンズの中心部に対して、同心円状または渦巻状に形成されている請求項１ないし１４のいずれか１項に記載の遊技機の電飾装置。
【請求項１６】
前記拡散レンズは、平板状または碗状に形成された請求項１ないし１５のいずれか１項に記載の遊技機の電飾装置。
【発明の詳細な説明】
【技術分野】
【０００１】
本発明は、パチスロ機、パチンコ機等の遊技機に設けられて、遊技状態に応じて照明状態を変化させて遊技の興趣を高める遊技機の電飾装置に関する。
【背景技術】
【０００２】
従来、例えば遊技機の一種であるパチスロ機には、その前面側に電飾装置が配置され、大当り時に遊技の興趣を高めるなど遊技状態に応じて電飾装置を点灯または点滅させるようにしている。この電飾装置は、ランプやＬＥＤ等の発光源が内装され、発光源から放射される光を拡散して光らせる透光性のカバー部材が装着されている。このように、電飾装置では、透光性のカバー部材を使用し光を拡散させて光の拡散効果を上げるようにしているが、カバー部材だけでは光の拡散効果が十分に上がらず、電飾装置における表示が立体感に欠けて、遊技者にインパクトを与えるような表示効果を発揮することができないという課題があった。
【０００３】
上記課題を解決するものとして、例えば発光源と、この発光源から放射された光を拡散させるため内側面である反射面が階段状をなすリフレクタを備え、該階段状の反射面により恰も多くの位置に置かれた複数の発光源によって照明されているような印象を観者に与えることで、立体感が出せ遊技者にインパクトを与えるような十分な表示効果が得られるようにした電飾装置（表示装置）がある。
【特許文献１】特開平１１−１５６００１号公報
【発明の開示】
【発明が解決しようとする課題】
【０００４】
特許文献１の表示装置では、リフレクタが合成樹脂材により成形され反射面が階段状をなすなど複雑な構造を採っているが、遊技者にはより斬新で興趣を高めた表示装置が求められている。
【０００５】
本発明の課題は、パチスロ機、パチンコ機等の遊技機に設けられて、遊技状態に応じて照明状態を変化させて、従来よりも遊技の興趣を高める遊技機の電飾装置を提供することにある。
【課題を解決するための手段】
【０００６】
上記課題を解決するため、本発明によれば、光を発光する光源と、該光源よりも前方側に位置し、光源からの光を反射させ、光の進行方向を変化させる反射部と、光源よりも前方側に位置し、かつ、少なくとも一部が反射部よりも後方の光源側に位置し、反射部にて反射された光を前方側に反射するリフレクタと、該リフレクタよりも前方側に位置し、反射部及びリフレクタの少なくともいずれかによって反射された光を拡散すると共に透過させる拡散レンズと、を備え、リフレクタ及び拡散レンズの少なくともいずれか一方の面に、凹凸部が形成され、拡散レンズにて光が拡散されて線状に発光表示される遊技機の電飾装置が提供される。より具体的には、リフレクタは、凹状に形成されて、その中央底部に開口部が形成され、光源は、リフレクタの中央底部の後方に備えられ、光源から発光した光が開口部を通過して反射部に到達するように構成することができる。
【０００７】
また、上記課題を解決するため、本発明によれば、光を発光する光源と、光源からの光を反射させ、光の進行方向を変化させる反射部と、少なくとも一部が反射部よりも後方に位置し、反射部にて反射された光を前方側に反射するリフレクタと、該リフレクタよりも前方側に位置し、反射部及びリフレクタの少なくともいずれかによって反射された光を拡散すると共に透過させる拡散レンズと、を備え、光源は、光の発光方向が反射部に向けられてリフレクタよりも前方側に備えられ、リフレクタ及び拡散レンズの少なくともいずれか一方の面に、凹凸部が形成され、拡散レンズにて光が拡散されて線状に発光表示される遊技機の電飾装置が提供される。そして、光源は、拡散レンズよりも前方側に備えられた構成とすることができる。あるいは、光源は、リフレクタよりも前方側で、拡散レンズよりも後方側に備えられた構成とすることもできる。そして、より具体的には、リフレクタは、凹状に形成されて、その中央底部に開口部が形成された構成とすることができる。
【０００８】
さらに、本発明の遊技機の電飾装置は、リフレクタの開口部に、当該電飾装置の前後方向に延びる光透過性を有する柱状部材が備えられたように構成することができる。また、柱状部材の前方側端面に反射部としての反射面が形成されているように構成することもできる。そして拡散レンズの中央部に開口部が形成され、反射面の少なくとも一部が開口部内に位置するように備えられているように構成してもよい。
【０００９】
また、本発明の遊技機の電飾装置は、柱状部材が複数備えられているように構成することもできる。そして光源が柱状部材と同数備えられ、それぞれの光源から発光された光が異なる柱状部材の反射部によって進行方向を変化させられるように構成してもよい。さらに複数の柱状部材の高さが、２種類以上の異なる高さとして形成されているように構成することもできる。
【００１０】
本発明の遊技機の電飾装置は、当該電飾装置の前後方向を軸として回転する回転部を備え、反射部が回転部の回転と共に回転するように構成することもできる。
【００１１】
上記構成において、光は、拡散レンズにて中心部から周縁部へ延びるように線状に発光表示される。
【００１２】
また、リフレクタの反射面、及び拡散レンズの反射部側である後方面の少なくとも一方に凹凸部が形成され、凹凸部は、リフレクタの中心部、または拡散レンズの中心部に対して、同心円状または渦巻状に形成されているとよい。さらに、拡散レンズは、平板状または碗状に形成することができる。
【発明の効果】
【００１３】
本発明の遊技機の電飾装置は、前面に取り付けられた拡散レンズにて、光が線状に表示されるため、遊技者にインパクトを与え、従来よりも遊技の興趣を高めることができる。また、複数の柱状部材と光源を備えることにより、多種の発光表示を行うことができる。さらに、柱状部材の高さを異ならせたり、光源の発光色を異ならせたりし、回転部を備えて拡散レンズにおける発光表示を回転させたりすることにより、発光表示におけるインパクトを強めることができる。
【発明を実施するための最良の形態】
【００１４】
以下、図面を参照しつつ本発明の実施の形態について説明する。本発明は、以下の実施形態に限定されるものではなく、発明の範囲を逸脱しない限りにおいて、変更、修正、改良を加え得るものである。
【００１５】
（実施形態１）
図１に本発明の遊技機の電飾装置１の全体図を示す。電飾装置１は、本体ケース２の前面に透過性を有する拡散レンズ３を備え、本体ケース２内に備えられた光源１０（図２参照）から発光された光４が拡散レンズ３にて拡散されて線状に発光表示される。
【００１６】
図２に図１のＡ−Ａ断面図を示す。図２に示すように、電飾装置１は、光４を発光する光源１０と、光源１０よりも前方側に位置し、光源１０からの光４を反射させ、光４の進行方向（光軸）を変化させる反射部１２と、光源１０よりも前方側に位置し、かつ、少なくとも一部が反射部１２よりも後方の光源１０側に位置し、反射部１２にて反射された光４を前方側に反射するリフレクタ１５と、リフレクタ１５よりも前方側に位置して本体ケース２の前面に取り付けられ、反射部１２及びリフレクタ１５の少なくともいずれかによって反射された光４を拡散すると共に透過させる拡散レンズ３とを備える（ただし図２は、拡散レンズ３を取り外したところを示している）。
【００１７】
リフレクタ１５は、凹状に形成されて、その中央底部に開口部２１が形成され、光源１０は、リフレクタ１５の中央底部の後方に備えられている。具体的には、リフレクタ１５は、リフレクタ本体が、合成樹脂材により成形され、前面が開放すると共に内側面１５ｓが後方へ向かうに従い漸次窄まる凹状、言い換えると椀型漏斗状に形成されている。そして、その中央底部に円形状の開口部２１が形成されている。またリフレクタ本体の内側面１５ｓは、リフレクタ１５の中心部、または拡散レンズ３の中心部に対して、同心円状または渦巻状に形成されている凹凸部１５ｃが形成され、その内側面１５ｓに反射フィルムが貼着されている。
【００１８】
図３に図２のＢ部分の拡大図を示す。リフレクタ１５の内側面１５ｓは、図３（ａ）に示すように、断面が三角形状、中心部に対して同心円状または渦巻状の凹凸部１５ｃとして形成されている。また、図３（ｂ）に示すように、曲面状に形成されていてもよいし、図３（ｃ）に示すように、平面と三角形状とが交互となるように形成されていてもよい。あるいは、図３（ｄ）に示すように、断面が四角状の凹凸部１５ｃとして形成されていてもよい。凹凸部１５ｃの形状を変えることにより、拡散レンズ３における発光を異ならせることができる。
【００１９】
凹凸部１５ｃが形成されたリフレクタ１５の内側面１５ｓに貼着された反射フィルムは所定形状に成形されており、透明なポリエチレンテレフタレート樹脂（以下、単に「ＰＥＴ樹脂」という。）シートの裏面に接着剤と共に偏向性粉末であるラメ層が積層され、更にその裏面に塩化ビニール樹脂シートが貼着され、該塩化ビニール樹脂シートの裏面に接着剤層を介して離型紙が貼着されたものである。この反射フィルムは、表面のＰＥＴ樹脂シート側からラメ層に光４があたると乱反射してラメ層全体が面状にキラキラと光り輝く。
【００２０】
あるいは、リフレクタ１５を合成樹脂にて椀形状に形成し、内側面１５ｓにメッキを施して反射面を形成してもよい。光源１０の光４は反射面にて反射して、拡散レンズ３に集められる。
【００２１】
このように、中心部に対して同心円状または渦巻状の凹凸部１５ｃを、リフレクタ１５の内側面１５ｓに形成し、内側面１５ｓを反射フィルム、メッキ層等により反射面とすることにより、リフレクタ１５にて反射された光４は、拡散レンズ３にて線状に発光表示される。
【００２２】
拡散レンズ３は、半透明な合成樹脂から形成され、拡散レンズ３の反射部１２側である後方面３ｂに凹凸部３ｃ（溝部）が形成されている。図４に拡散レンズ３の図２のＣの部分の拡大図を示す。拡散レンズ３の後方面３ｂには、同心円状または渦巻状に凹凸部３ｃが形成されている。凹凸部３ｃは、図４（ａ）に示すように、断面三角状に形成されていてもよいし、図４（ｂ）に示すように曲面状に形成されていてもよい。また、図４（ｃ）に示すように、平面と三角山とが交互となるように形成されていてもよいし、図４（ｄ）に示すように、断面が四角状（矩形状）の凹凸部３ｃとして形成されていてもよい。凹凸部３ｃの形状により、拡散レンズ３における発光を異ならせることができる。拡散レンズ３が、半透明な合成樹脂により形成されているため、拡散レンズ３に進入した光４は、濃淡が滑らかに連続して変化してゆくグラデーション表示され、光り輝いて遊技者に美しく見える。
【００２３】
さらに、凹凸部は、リフレクタ１５の内側面１５ｓ、拡散レンズ３の後方面３ｂ、前方面３ａのいずれに形成されていても、光４が拡散レンズ３にて拡散され、線状に発光表示される効果を有するが、リフレクタ１５の内側面１５ｓ、及び拡散レンズ３の後方面３ｂに凹凸部が形成されていると線状発光表示の効果が高い。
【００２４】
また、図２に示すように、リフレクタ１５の開口部２１に、当該電飾装置１の前後方向に延びる柱状部材１１が複数備えられている。図５を用いて柱状部材１１による光４の反射について説明する。図５は、柱状部材１１が４本備えられた実施形態を示す。柱状部材１１の前方側端面に反射面が形成され、その反射面が反射部１２とされている。
【００２５】
図６に示すように、反射面（反射部１２）の少なくとも一部が、拡散レンズ３の中央部に形成された開口部２５内に位置するように備えられている。さらに、複数の柱状部材１１の高さが、２種類以上の異なる高さとして形成されている。具体的には、本実施形態においては、柱状部材１１ｂ，１１ｄは、柱状部材１１ａ，１１ｃよりも低く形成され、柱状部材１１ｂ，１１ｄの反射面は、拡散レンズ３よりも後方側に位置し、これらの反射面によって反射された光４は、主としてリフレクタ１５によって反射された後に、拡散レンズ３に到達して線状に表示される。このように、柱状部材１１は高さが異なるように形成されて複数備えられ、光源１０は、柱状部材１１と同数、例えば、ＬＥＤを用いて、それぞれのＬＥＤが異なる色を発光するように構成することにより、それぞれの光源１０から発光された光４が異なる柱状部材１１の反射部１２によって進行方向を変化させられ、それぞれの光源１０から発光された光４は、拡散レンズ３において異なった輝きをする。
【００２６】
図７に柱状部材１１の形状の他の実施形態を示す。柱状部材１１は、透光性を有する合成樹脂から形成され、図７（ａ）に示すように、角柱として形成され、その上端面が斜めに切断されて、反射面が角状に形成されてもよい。あるいは、図７（ｂ）に示すように、柱状部材１１は、円柱として形成され、その上端面が斜めに切断されて、反射面が楕円状に形成されていてもよい。
【００２７】
反射面の角度により、光源１０から発光して反射面によって進行方向が変化される光４の進行方向が決まるため、拡散レンズ３やリフレクタ１５に向けて光４が反射されるように反射面の角度を調整するとよい。
【００２８】
さらに、図２及び図６に示すように、当該電飾装置１の前後方向を軸として回転する回転部１８を備え、反射部１２が回転部１８の回転と共に回転するように構成するとよい。これにより、光４は、拡散レンズ３にて中心部から周縁部へ延びるように線状に発光表示されるとともに、回転部１８の回転に伴って、柱状部材１１が回転し、これにより反射面が回転することとなり、拡散レンズ３における線状発光表示が回転する。光源１０として異なる発光のＬＥＤを採用することにより、異なる色の線が拡散レンズ３において回転表示されることになる。すなわち、回転部１８や複数の柱状部材１１、異なる発光のＬＥＤ（光源１０）を備えることにより、拡散レンズ３にて多様な色彩の光が走り、斬新な装飾効果を発揮することができる。
【００２９】
以上の実施形態において、柱状部材１１に形成された反射面によって光源１０からの光４が反射される例を説明したが、柱状部材１１を備えず、図８に示すように、反射鏡３１を備えるようにしてもよい。
【００３０】
また、拡散レンズ３は、平板状のものを説明したが、図９の断面図に示すように碗状であってもよい。さらに、拡散レンズ３は、円形である必要はなく、角状や多角形であってもよい。拡散レンズ３の形状を変えることにより、拡散レンズ３における発光を異ならせることができる。
【００３１】
（実施形態２）
次に、光源１０が拡散レンズ３よりも前方に備えられた実施形態２について説明する。図１０に示すように電飾装置１００は、光４を発光する光源１０と、光源１０からの光４を反射させ、光４の進行方向（光軸）を変化させる反射部１２と、少なくとも一部が反射部１２よりも後方に位置し、反射部１２にて反射された光４を前方側に反射するリフレクタ１５と、リフレクタ１５よりも前方側に位置し、反射部１２及びリフレクタ１５の少なくともいずれかによって反射された光４を拡散すると共に透過させる拡散レンズ３とを備える。実施形態１と異なり、光源１０は、光４の発光方向が反射部１２に向けられて拡散レンズ３よりも前方側に備えられている。実施形態１と同様に、リフレクタ１５及び拡散レンズ３の少なくともいずれか一方の面に、凹凸部が形成され、拡散レンズ３にて光４が拡散されて線状に発光表示される。
【００３２】
リフレクタ１５、拡散レンズ３、柱状部材１１の構成は、実施形態１と同様であるため、説明を省略する。柱状部材１１は、回転部１８によって回転させられるため、回転に伴って光源１０の光４が異なる柱上部材に照射されることになり、拡散レンズ３における線状の表示が変化する。
【００３３】
（実施形態３）
次に、光源１０がリフレクタ１５よりも前方、拡散レンズ３よりも後方に備えられた実施形態３について説明する。図１１に示すように電飾装置１１０は、光４を発光する光源１０と、光源１０からの光４を反射させ、光４の進行方向（光軸）を変化させる反射部１２と、少なくとも一部が反射部１２よりも後方に位置し、反射部１２にて反射された光４を前方側に反射するリフレクタ１５と、リフレクタ１５よりも前方側に位置し、反射部１２及びリフレクタ１５の少なくともいずれかによって反射された光４を拡散すると共に透過させる拡散レンズ３とを備える。光源１０は、光４の発光方向が反射部１２に向けられて、実施形態２と異なり、リフレクタ１５よりも前方、拡散レンズ３よりも後方側に備えられている。言い換えると、光源１０が、前後方向において、リフレクタ１５と拡散レンズ３との間に位置するように配置されている。実施形態１，２と同様に、リフレクタ１５及び拡散レンズ３の少なくともいずれか一方の面に、凹凸部が形成され、拡散レンズ３にて光４が拡散されて線状に発光表示される。他の構成は、実施形態１，２と同様であるため、説明を省略する。
【００３４】
次に前述の実施形態１〜３の電飾装置１，１００，１１０の適用形態について図１２を用いて説明する。弾球遊技機５１は、機枠５３の前面に前面枠５２が装着され、前面枠５２に、遊技盤５７が設置されている。また、操作ハンドル５４、上皿５５、下皿５６等を備える。遊技盤５７の前面のほぼ中央には、文字、数字、図形等の表示が可能な可変表示部５８が配置され、遊技状態の変化に伴って表示を変化させる。可変表示部５８の上部には、本発明の電飾装置１が備えられ、例えば、遊技者にとって有利な特別遊技状態になったとき、ＬＥＤを発光させることにより、拡散レンズ３上に光４がキラキラと光り輝き線状に回転を伴って表示されるため、遊技者にインパクトを与え、遊技の興趣を盛り上げることができる。なお、本発明の電飾装置１の適用は、弾球遊技機５１に限定されるものではない。
【産業上の利用可能性】
【００３５】
本発明の電飾装置は、パチスロ機、パチンコ機等の様々な遊技機に適用できる。
【図面の簡単な説明】
【００３６】
【図１】本発明の遊技機の電飾装置の一実施形態を示す斜視図である。
【図２】図１の電飾装置のＡ−Ａ断面図である。
【図３】リフレクタの実施形態を示す断面図である。
【図４】拡散レンズの実施形態を示す断面図である。
【図５】柱状部材の部分拡大図である。
【図６】反射部における光の反射を説明する説明図である。
【図７】柱状部材の他の実施形態を示す図である。
【図８】反射部の他の実施形態を示す図である。
【図９】拡散レンズの他の実施形態を示す断面図である。
【図１０】本発明の遊技機の電飾装置の実施形態２を示す断面図である。
【図１１】本発明の遊技機の電飾装置の実施形態３を示す断面図である。
【図１２】本発明の遊技機の電飾装置の適用の一実施形態を示す図である。
【符号の説明】
【００３７】
１：電飾装置、２：本体ケース、３：拡散レンズ、３ａ：前方面、３ｂ：後方面、３ｃ：凹凸部、４：光、１０：光源、１１：柱状部材、１２：反射部、１５：リフレクタ、１５ｃ：凹凸部、１５ｓ：内側面、１８：回転部、２１：（リフレクタの）開口部、２５：（拡散レンズの）開口部、３１：反射鏡、５１：弾球遊技機、５２：前面枠、５３：機枠、５４：操作ハンドル、５５：上皿、５６：下皿、５７：遊技盤、５８：可変表示部、１００，１１０：電飾装置。
【図１】
2008086589.tif 000003
【図２】
2008086589.tif 000004
【図３】
2008086589.tif 000005
【図４】
2008086589.tif 000006
【図５】
2008086589.tif 000007
【図６】
2008086589.tif 000008
【図７】
2008086589.tif 000009
【図８】
2008086589.tif 000010
【図９】
2008086589.tif 000011
【図１０】
2008086589.tif 000012
【図１１】
2008086589.tif 000013
【図１２】
2008086589.tif 000014